(57)【要約】【課題】小型化を実現することができる光量調節装置および撮像装置を提供する。【解決手段】羽根駆動レバー１２に突設された駆動ピン１３ａ，１３ｂが係合される絞り羽根１４ａ，１４ｂの長孔１４４ａ，１４４ｂを、絞り羽根１４ａ，１４ｂの動作方向に対して斜めに形成する。長孔１４４ａ，１４４ｂの長さが大きくなり、駆動ピン１３ａ，１３ｂのストロークを長くすることができる。これによりステッピングモータ１１の回動軸１１ａと駆動ピン１３ａ，１３ｂとの距離を短縮することができるので、絞り羽根１４ａ，１４ｂの作動方向と垂直な方向に光量調節装置を小型化できる。【選択図】　　　　図２
2004109531.tif 000002
【特許請求の範囲】
【請求項１】
ステッピングモータの回動軸に圧入された羽根駆動レバーと、この羽根駆動レバーに突設された２本の駆動ピンと、前記２本の駆動ピンに長孔がそれぞれ係合する一対の絞り羽根を有し、前記一対の絞り羽根を相反する方向に直線往復運動させて形成される開口の面積を変化させることによりこの開口を通過する光量を調整する光量調節装置であって、
前記一対の絞り羽根の長孔は、前記一対の絞り羽根の動作方向に対して斜めに形成されていることを特徴とする光量調節装置。
【請求項２】
前記一対の絞り羽根の長孔は、前記一対の絞り羽根の動作方向に対して３０度以上９０度未満の角度をなすことを特徴とする請求項１記載の光量調節装置。
【請求項３】
ステッピングモータの回動軸に圧入された羽根駆動レバーと、この羽根駆動レバーに突設された２本の駆動ピンと、前記２本の駆動ピンに長孔がそれぞれ係合する一対の絞り羽根を有し、前記一対の絞り羽根を相反する方向に直線往復運動させて形成される開口の面積を変化させることによりこの開口を通過する光量を調整する光量調節装置であって、
前記開口の全開状態から全閉状態まで前記ステッピングモータを２相励磁における３パルス相当のパルス数で駆動させ、
前記ステッピングモータについて、２相励磁における１パルス目に相当する通電状態および２相励磁における２パルス目に相当する通電状態に通電した後、２相励磁における０パルス目に相当する通電状態に通電することにより初期化動作を行うことを特徴とする光量調節装置。
【請求項４】
前記初期化動作が、前記ステッピングモータについて、２相励磁における２パルス目に相当する通電状態、２相励磁における１パルス目に相当する通電状態、２相励磁における０パルス目に相当する通電状態へと順次通電することにより行われることを特徴とする請求項３記載の光量調節装置。
【請求項５】
光量を調整するための光量調節装置を有する撮像装置であって、前記光量調節装置は、ステッピングモータの回動軸に圧入された羽根駆動レバーと、この羽根駆動レバーに突設された２本の駆動ピンと、前記２本の駆動ピンに長孔がそれぞれ係合する一対の絞り羽根を有し、前記一対の絞り羽根を相反する方向に直線往復運動させて形成される開口の面積を変化させることによりこの開口を通過する光量を調整する光量調節装置であって、
前記一対の絞り羽根の長孔は、前記一対の絞り羽根の動作方向に対して斜めに形成されていることを特徴とする撮像装置。
【請求項６】
光量を調整するための光量調節装置を有する撮像装置であって、前記光量調節装置は、ステッピングモータの回動軸に圧入された羽根駆動レバーと、この羽根駆動レバーに突設された２本の駆動ピンと、前記２本の駆動ピンに長孔がそれぞれ係合する一対の絞り羽根を有し、前記一対の絞り羽根を相反する方向に直線往復運動させて形成される開口の面積を変化させることによりこの開口を通過する光量を調整する光量調節装置であって、
前記開口の全開状態から全閉状態まで前記ステッピングモータを２相励磁における３パルス相当のパルス数で駆動させ、
前記ステッピングモータについて、２相励磁における１パルス目に相当する通電状態および２相励磁における２パルス目に相当する通電状態に通電した後、２相励磁における０パルス目に相当する通電状態に通電することにより初期化動作を行うことを特徴とする撮像装置。
【発明の詳細な説明】
【０００１】
【発明の属する技術分野】
本発明は、例えばデジタルスチルカメラ、ビデオカメラ等の光学機器に用いられるステップモータを有する光量調節装置および撮像装置に関する。
【０００２】
【従来の技術】
従来、デジタルスチルカメラ、ビデオカメラ等に用いられる光学機器等の光量調節装置には、いわゆるガルバノメータを駆動源とするタイプのものが多く使用されてきた。この絞り機構では、ガルバノメータの永久磁石であるロータについてホール素子を用いて位置検出し、その検出結果をフィードバック制御することにより、ロータを目的の位置に作動させて、絞り制御が行われる。
【０００３】
しかし、このように絞り機構にガルバノメータを駆動源として用いる場合には、ロータの位置検出を行うための検出手段が必要となり、また、位置検出手段の出力結果をフィードバック制御する制御手段が必要となるので、駆動回路が大型化し、かつ、基板が大型化され、部品数が多くなってしまうという問題があった。
【０００４】
そこで、駆動源としてガルバノメータの代わりにステッピングモータを用いた絞り機構が考えられる。ステッピングモータを用いた絞り機構は、例えば、ステッピングモータの回動軸に、直線状の駆動レバーが圧入されており、直線状の駆動レバーの両端には、駆動ピンがそれぞれ設けられている。この駆動ピンは、それぞれ２枚の絞り羽根に縦孔を介して係合されている。このような絞り機構において、ステッピングモータを回転させて、２枚の絞り羽根にそれぞれ互いに反対の方向へ直進運動をさせる。２枚の絞り羽根それぞれの位置関係によって、開口の大きさを変化させることにより、光量調節が行われる。
【０００５】
このステッピングモータを用いた絞り機構では、絞りの位置が初期位置に位置しているか否かを検出する手段が必要になり、例えば、絞りの初期位置の検出のためにホームポジション検出手段を備えたものがある（例えば、特許文献１参照。）。
【０００６】
【特許文献１】
特開平６−５９３０９号公報
【０００７】
【発明が解決しようとする課題】
上述のステッピングモータを用いた光量調節装置では、絞りの位置が初期位置に位置しているか否か、ステッピングモータが脱調状態にあるか否かを検出する例えばホームポジション検出手段等の検出手段が必要となり、かつ、この検出手段を駆動するための回路も必要となるので、やはり、装置の大型化やコスト増を招いてしまうという問題があった。
【０００８】
また、上述のステッピングモータを用いた光量調節装置では、全開口径を大きくするためには、絞り羽根の移動量を増やす必要がある。絞り羽根の移動量を増やすには、駆動レバーの回転角を一定とすると、駆動レバーの回動軸と駆動ピンとの距離を長くせねばならず、絞り羽根の移動方向と垂直方向に装置が大型化してしまうという問題があった。
【０００９】
本発明はかかる問題点に鑑みてなされたもので、その目的は、小型化を実現することができる光量調節装置および撮像装置を提供することにある。
【００１０】
【課題を解決するための手段】
本発明による光量調節装置は、ステッピングモータの回動軸に圧入された羽根駆動レバーと、この羽根駆動レバーに突設された２本の駆動ピンと、２本の駆動ピンに長孔がそれぞれ係合する一対の絞り羽根を有し、一対の絞り羽根を相反する方向に直線往復運動させて形成される開口の面積を変化させることによりこの開口を通過する光量を調整する光量調節装置であって、一対の絞り羽根の長孔は、一対の絞り羽根の動作方向に対して斜めに形成されている。
【００１１】
本発明による光量調節装置では、一対の絞り羽根の長孔が動作方向に対して斜めに形成されているので、長孔の長さが大きくなり、２本の駆動ピンのストロークが長くなる。
【００１２】
本発明による光量調節装置は、ステッピングモータの回動軸に圧入された羽根駆動レバーと、この羽根駆動レバーに突設された２本の駆動ピンと、２本の駆動ピンに長孔がそれぞれ係合する一対の絞り羽根を有し、一対の絞り羽根を相反する方向に直線往復運動させて形成される開口の面積を変化させることによりこの開口を通過する光量を調整する光量調節装置であって、開口の全開状態から全閉状態までステッピングモータを２相励磁における３パルス相当のパルス数で駆動させ、ステッピングモータについて、２相励磁における１パルス目に相当する通電状態および２相励磁における２パルス目に相当する通電状態に通電した後、２相励磁における０パルス目に相当する通電状態に通電することにより初期化動作を行うものである。
【００１３】
本発明による光量調節装置では、ステッピングモータの通電制御のみによって絞りの位置を初期位置に位置させる初期化動作を行うことができるので、初期位置検出手段を備える必要がなくなる。
【００１４】
本発明による撮像装置は、光量を調整するための光量調節装置を有する撮像装置であって、光量調節装置は、ステッピングモータの回動軸に圧入された羽根駆動レバーと、この羽根駆動レバーに突設された２本の駆動ピンと、２本の駆動ピンに長孔がそれぞれ係合する一対の絞り羽根を有し、一対の絞り羽根を相反する方向に直線往復運動させて形成される開口の面積を変化させることによりこの開口を通過する光量を調整する光量調節装置であって、一対の絞り羽根の長孔は、一対の絞り羽根の動作方向に対して斜めに形成されている。
【００１５】
本発明による撮像装置では、小型化した光量調節装置により光量を調整することができるので、小型化を実現できる。
【００１６】
本発明による撮像装置は、光量を調整するための光量調節装置を有する撮像装置であって、光量調節装置は、ステッピングモータの回動軸に圧入された羽根駆動レバーと、この羽根駆動レバーに突設された２本の駆動ピンと、２本の駆動ピンに長孔がそれぞれ係合する一対の絞り羽根を有し、一対の絞り羽根を相反する方向に直線往復運動させて形成される開口の面積を変化させることによりこの開口を通過する光量を調整する光量調節装置であって、開口の全開状態から全閉状態まで前記ステッピングモータを２相励磁における３パルス相当のパルス数で駆動させ、ステッピングモータについて、２相励磁における１パルス目に相当する通電状態および２相励磁における２パルス目に相当する通電状態に通電した後、２相励磁における０パルス目に相当する通電状態に通電することにより初期化動作を行うものである。
【００１７】
本発明による撮像装置では、初期位置検出手段を有しない小型化した光量調節装置により光量を調整することができるので、小型化を実現できる。
【００１８】
【発明の実施の形態】
以下、本発明の実施の形態について図面を参照して詳細に説明する。
【００１９】
図１は本発明の一実施の形態に係る光量調節装置の構成、図２は図１に示した光量調節装置が備える絞り羽根についての開口の全開状態および全閉状態の様子を表したものである。図２（ａ）は、開口が全開した状態を表しており、図２（ｂ）は、開口が全閉した状態を表している。この光量調節装置１は、ステッピングモータ１１と、このステッピングモータ１１に回動される羽根駆動レバー１２と、この羽根駆動レバー１２の両端にそれぞれ突設された駆動ピン１３ａ，１３ｂと、駆動ピン１３ａ，１３ｂがそれぞれ係合される一対の絞り羽根１４ａ，１４ｂと、一対の絞り羽根１４ａ，１４ｂの光軸方向の動きを規制して、収納するカバー板金１５とベース１６とを備えている。なお、ベース１６には、一対の絞り羽根１４ａ，１４ｂの直進運動をガイドするためのガイド１６ａ，１６ｂが突設されている。
【００２０】
この光量調節装置１では、一対の絞り羽根１４ａ，１４ｂが、互いに相反する方向へ直線往復運動することにより、絞り羽根１４ａ，１４ｂにより開口２０が形成される。そして、絞り羽根１４ａ，１４ｂそれぞれの位置関係によって、開口２０の大きさが変化することにより、光量調節が行われる。
【００２１】
ステッピングモータ１１は、円筒外周面にＳ極とＮ極を交互に例えば１０極着磁されたロータと、ロータに設けられた回動軸１１ａと、ロータマグネット外周に９０度の電気的位相差をもつ励磁コイルからなる２つの電磁石と、２つの励磁コイルに電気的に接続されている端子１１ｂ〜１１ｅとを有している。このステッピングモータ１１は、ステッピングモータ駆動回路により２つの励磁コイルに９０度の位相差を有する周波電流を通電することにより正逆回転する２相ステッピングモータである。
【００２２】
なお、このステッピングモータ１１は、ステッピングモータ板金１１ｆに溶接により固着されており、このステッピングモータ板金１１ｆは、ステッピングモータベース１１ｇにネジ１１ｈ、１１ｉによって締結されている。そして、このステッピングモータベース１１ｇはベース１６に取り付けられる。なお、ステッピングモータ１１の回動軸１１ａ先端は、ステッピングモータベース１１ｇの軸受部により軸受されている。
【００２３】
羽根駆動レバー１２は、ステッピングモータ１１の回動軸１１ａが圧入される貫通孔１２ａと、一対の腕部１２ｂ，１２ｃとを有する。一対の腕部１２ｂ，１２ｃの端にはそれぞれ駆動ピン１３ａ，１３ｂが突設されている。一対の腕部１２ｂ，１２ｃは、開口２０側に開くように形成されている。一対の腕部１２ｂ，１２ｃのなす角は、９０度以上１８０度未満となっており、例えば、１２５度の角度を有している。これにより、絞り羽根１４ａ，１４ｂの動作方向において、開口２０の全閉時における絞り羽根１４ａ，１４ｂの占有面積を小さくすることができ、光量調節装置を小型化することができる。また、絞り羽根１４ａ，１４ｂの動作方向と垂直方向においても、光量調節装置を小型化することができる。
【００２４】
一対の絞り羽根１４ａ，１４ｂは、例えば半円形状に形成された絞り部１４１ａ，１４１ｂと、ベース１６に突設されたガイド１６ａに挿通される横長孔１４２ａ，１４２ｂと、ベース１６に突設されたガイド１６ｂに挿通される横長孔１４３ａ，１４３ｂと、羽根駆動レバー１２に突設された駆動ピン１３ａ，１３ｂ
が係合される長孔１４４ａ，１４４ｂとを有している。
【００２５】
長孔１４４ａ，１４４ｂは、絞り羽根１４ａ，１４ｂの動作方向に対して斜めに形成されている。すなわち、この長孔１４４ａ，１４４ｂは、絞り羽根１４ａ，１４ｂの動作方向に対して、９０度未満の傾きを有しており、例えば５４度の角度を有している。なお、この長孔１４４ａ，１４４ｂの傾きは、絞り羽根１４ａ，１４ｂの動作方向に対して、３０度以上であることが好ましい。長孔１４４ａ，１４４ｂの傾きを３０度以上としないと、駆動ピン１３ａ，１３ｂと長孔１４４ａ，１４４ｂとの間に大きな摩擦力が生じてしまうので、絞り羽根１４ａ，１４ｂが正確に動かなくなる可能性があるからである。
【００２６】
なお、横長孔１４２ａ，１４２ｂおよび１４３ａ，１４３ｂに挿通されたガイド１６ａ，１６ｂによって、絞り羽根１４ａ，１４ｂは直進運動をガイドされることになる。
【００２７】
ベース１６のガイド１６ａ，１６ｂに横長孔１４２ａ，１４２ｂおよび１４３ａ，１４３ｂを挿通された一対の絞り羽根１４ａ，１４ｂは、ベース１６にカバー板金１５が取り付けられることにより、ベース１６とカバー板金１５との間に収納される。
【００２８】
この光量調節装置１により光量調節を行うには、ステッピングモータ１１の正逆回転により羽根駆動レバー１２を正逆回転させる。羽根駆動レバー１２に突設された駆動ピン１３ａ，１３ｂが、絞り羽根１４ａ，１４ｂの動作方向に対して斜めに形成された長孔１４４ａ，１４４ｂに係合されているので、絞り羽根１４ａ，１４ｂはそれぞれ逆方向へスライド水平動する。絞り羽根１４ａ，１４ｂの絞り部１４１ａ，１４１ｂにより開口２０が形成される。そして、絞り部１４１ａ，１４１ｂそれぞれの位置関係によって、開口２０の面積が変化することにより、開口２０を通過する光量が調整され、光量調節が行われる。
【００２９】
なお、羽根駆動レバー１２は、開口２０の全開状態から全閉状態まで２相励磁において３パルスに相当する５４度回転する。また、ステッピングモータ１１について、例えば、ｓｉｎ−ｃｏｓ波によるマイクロステップ駆動を行うことにより、任意の位置に停止させることが可能となり、開口２０の面積を連続的に変化させることが可能となる。
【００３０】
このように本実施の形態の光量調節装置では、羽根駆動レバー１２に突設された駆動ピン１３ａ，１３ｂが係合される絞り羽根１４ａ，１４ｂの長孔１４４ａ，１４４ｂが、絞り羽根１４ａ，１４ｂの動作方向に対して斜めに形成されるようにしたので、長孔１４４ａ，１４４ｂの長さが大きくなり、駆動ピン１３ａ，１３ｂのストロークを長くすることができる。
【００３１】
よって、絞り羽根１４ａ，１４ｂの直進運動の動作量を増やすことが可能になり、開口２０の大口径化が可能となる。一方、絞り羽根１４ａ，１４ｂの直進運動の動作量が一定の場合を考えると、ステッピングモータ１１の回動軸１１ａと駆動ピン１３ａ，１３ｂとの距離を短縮することができるので、絞り羽根１４ａ，１４ｂの作動方向と垂直な方向に光量調節装置を小型化することができ、また、ステッピングモータ１１の回転角を狭角化することもできる。
【００３２】
さらに、本実施の形態の光量調節装置では、長孔１４４ａ，１４４ｂの傾きを、絞り羽根１４ａ，１４ｂの動作方向に対して調整することにより、ステッピングモータ１１の回転角と絞り値との関係について所望の関係を得ることができる。
【００３３】
次に、図３を用いて、本実施の形態において、絞りの位置を初期位置に位置させる初期化の動作について説明する。図３は本実施の形態のステッピングモータ１１の２つの相であるＡ相、Ｂ相の通電状態と羽根駆動レバー１２の回転角度との関係を表している。
【００３４】
図２（ａ）に示すような開口２０の全開状態から図２（ｂ）に示すような開口２０の全閉状態まで連続的に開口２０の面積を変化させて絞りを変化させるには、開口２０が全開状態になる通電状態ａ（Ａ相＝Ｈ，Ｂ相＝Ｈ）から、通電状態ｂ（Ａ相＝０，Ｂ相＝Ｈ），通電状態ｃ（Ａ相＝Ｌ，Ｂ相＝Ｈ），通電状態ｄ（Ａ相＝Ｌ，Ｂ相＝０），通電状態ｅ（Ａ相＝Ｌ，Ｂ相＝Ｌ），通電状態ｆ（Ａ相＝０，Ｂ相＝Ｌ），開口２０が全閉状態になる通電状態ｇ（Ａ相＝Ｈ，Ｂ相＝Ｌ）へと、ステッピングモータ１１のＡ相、Ｂ相の通電状態を、例えばマイクロステップ駆動により連続的に変化させる。
【００３５】
絞りの位置を初期位置に位置させる初期化を行うには、まず、ステッピングモータ１１について、例えば２相励磁における１パルス目に相当する通電状態ｃにおける通電を例えば３０ｍｓｅｃ程度行う。この通電により、通電状態ａ〜ｅの位置に羽根駆動レバー１２が位置していれば、この羽根駆動レバー１２は回転して、通電状態ｃの位置に位置することになる。また、通電状態ｆ〜ｇの位置に羽根駆動レバー１２が位置している場合には、この羽根駆動レバー１２は動作せずに、その位置にとどまる。
【００３６】
次に、ステッピングモータ１１について、例えば２相励磁における２パルス目に相当する通電状態ｅにおける通電を例えば３０ｍｓｅｃ程度行う。この通電により、通電状態ｃ〜ｇの位置に羽根駆動レバー１２が位置していれば、この羽根駆動レバー１２は回転して、通電状態ｅの位置に位置することになる。つまり、通電状態ａ〜ｇのいずれの位置に位置していようとも、脱調状態より復帰することになる。
【００３７】
そして、最後に、ステッピングモータ１１について、通電状態ｅにおける通電から、例えば２相励磁における０パルス目に相当する通電状態ａにおける通電へと連続的に変化させる。これにより羽根駆動レバー１２は回転して、開口２０は全開状態となり、絞りの位置が初期位置に位置することになる。
【００３８】
このように本実施の形態の光量調節装置では、ステッピングモータの回転許容範囲内でいかなる位置に位置していようとも、上述した通電動作を行うことにより初期化動作が可能となり、初期化動作のために必要であった、ステッピングモータ１１もしくは羽根駆動レバー１２の位置検出手段を省略することが可能となる。また、この位置検出手段を駆動する回路も不要となる。このため、光量調節装置の小型化、低コスト化が実現できる。
【００３９】
なお、例えば２相励磁における２パルス目に相当する通電状態ｅにおける通電を例えば３０ｍｓｅｃ程度行って、この後、例えば２相励磁における１パルス目に相当する通電状態ｃにおける通電を例えば３０ｍｓｅｃ程度行い、最後に、例えば２相励磁における０パルス目に相当する通電状態ａにおける通電へと連続的に変化させるようにしてもよい。
【００４０】
このように初期化動作を行うと、例えばデジタルスチルカメラでは、終了時は例えば２相励磁における３パルス目に相当する通電状態の位置で全閉しており、そこから２相励磁における２パルス目，１パルス目および０パルス目に相当する通電状態へと通電して開口２０を全開状態とするのが通常の動作なので、通常の動作によって初期化動作が可能となる。
【００４１】
図４は、上述した光量調節装置１を備えた撮像装置の全体構成を表したものである。この撮像装置３００であるカメラの撮影光学系は、被写体側よりフィールドレンズ３０１、変倍レンズ３０２、光量調節装置１、フォーカスレンズ３０３、ＣＣＤ撮像素子３０４が配置されている。変倍レンズ３０２が保持される鏡枠３０６、およびフォーカスレンズ３０３が保持される鏡枠３０７は、図示しないガイド軸により光軸方向に直進ガイドされる。なお、鏡枠３０６，３０７は、ナット部を具備し、モータ３０８，３０９の出力軸のリードスクリューにより駆動される。
【００４２】
初期位置から目標位置までの移動量に対応したパルスを制御装置３１０にて演算し、その演算結果をステッピングモータ駆動回路３１１に伝達することにより、変倍レンズ３０２，フォーカスレンズ３０３は駆動される。フォトインタラプタ３１２，３１３の投光・受光間に鏡枠の遮光部３０６ａ，３０７ａが入り込むことにより、変倍レンズ３０２、フォーカスレンズ３０３の初期位置は検出される。
【００４３】
光量調節装置１のステッピングモータ１１においては、制御装置３１０からの信号に応じて、ステッピングモータ駆動回路３１１によりコイルに通電が行われる。
【００４４】
ＣＣＤ撮像素子３０４からの出力は、画像処理装置３１４に入力され、映像信号と輝度信号を生成する。この映像信号は、記憶装置３１５に送られ、輝度信号は制御装置３１０に送られる。制御装置３１０は、輝度信号が適正となるようにステッピングモータ１１を駆動する信号を出力する。
【００４５】
図５は、図４の撮像装置の制御フローチャートを表している。メインＳＷがОＮされ、メイン電源がОＮされると、光量調節装置１（絞り兼用シャッタ装置）の初期化動作を行い（ステップ４０１）、輝度信号を所定の値に保つように絞り値を変更する（ステップ４０２）。次に、レリーズＳＷ―Ｓ１がОＮであれば（ステップ４０３）、合焦動作を行い（ステップ４０４）、制御装置３１０が輝度信号に応じた露出時間を演算し、その演算結果に応じたシャッタ駆動データをシャッタデータ記憶手段より得る。レリーズＳＷ―Ｓ１がОＦＦであれば（ステップ４０３）、ステップ４０２に戻る。
【００４６】
そして、レリーズＳＷ―Ｓ２がОＮであれば（ステップ４０５）、シャッタ閉じ動作を行い（ステップ４０６）、映像を取り込む（ステップ４０７）。レリーズＳＷ―Ｓ２がОＦＦであれば（ステップ４０５）、ステップ４０２に戻る。
【００４７】
このように本実施の形態の撮像装置では、上述した小型化された光量調節装置１を備えるようにしたので、小型化した撮像装置を実現することができる。
【００４８】
以上、実施の形態を挙げて本発明を説明したが、本発明は上記実施の形態に限定されるものではなく、種々変形が可能である。例えば、上記実施の形態では、ステッピングモータ１１の駆動方式にはマイクロステップ駆動を用いたが、２相励磁、１−２相励磁等の駆動方式であってもよい。
【００４９】
また、上記実施の形態では、長孔１４４ａ，１４４ｂの傾きを、絞り羽根１４ａ，１４ｂの動作方向に対して調整することにより、ステッピングモータ１１の回転角と絞り値との関係について所望の関係を得ることができるようにしたが、長孔の形状を円弧状としてその曲率を調整することにより、ステッピングモータ１１の回転角と絞り値との関係について所望の関係を得ることもできる。
【００５０】
【発明の効果】
以上説明したように、請求項１または請求項２記載の光量調節装置によれば、一対の絞り羽根の駆動ピンと係合する長孔を動作方向に対して斜めに形成するようにしたので、駆動ピンのストロークを長くすることができるため、小型化を実現することができる。
【００５１】
また、請求項３または請求項４記載の光量調節装置によれば、ステッピングモータの通電制御のみによって初期化動作ができるようにしたので、初期位置検出手段を備える必要がなくなり、小型化を実現することができる。
【００５２】
さらに、本発明の撮像装置によれば、小型化した光量調節装置を備えるようにしたので、小型化を実現することができる。
【図面の簡単な説明】
【図１】本発明の一実施の形態に係る光量調節装置の構成を表す斜視図である。
【図２】図１に示した光量調節装置が備える絞り羽根についての開口の全開状態および全閉状態の様子を表す説明図である。図２（ａ）は、開口が全開した状態を表す説明図であり、図２（ｂ）は、開口が全閉した状態を表す説明図である。
【図３】図１に示した光量調節装置が備えるステッピングモータの２つの相であるＡ相、Ｂ相の通電状態と羽根駆動レバーの回転角度との関係を表す説明図である。
【図４】図１に示した光量調節装置を備えた本発明の一実施の形態に係る撮像装置の構成を表す説明図である。
【図５】図４に示した撮像装置の制御動作を表すフローチャートである。
【符号の説明】
１…光量調節装置、１１…ステッピングモータ、１２…羽根駆動レバー、１３ａ，１３ｂ…駆動ピン、１４ａ，１４ｂ…絞り羽根、１４４ａ，１４４ｂ…長孔、２０…開口、３００…撮像装置
【図１】
2004109531.tif 000003
【図２】
2004109531.tif 000004
【図３】
2004109531.tif 000005
【図４】
2004109531.tif 000006
【図５】
2004109531.tif 000007